(57)【要約】      （修正有）【課題】椅子に対する位置ずれを抑制したクッション体が収容された椅子カバーを提供する。【解決手段】椅子カバー１は、袋体１０と、袋体１０の内側に収容されたクッション体２０と、第１の開口が位置する第１の端部３１及び第２の開口が位置する第２の端部３２を有する筒状のスカート部３０と、環状の弾性部材３３と、を備える。スカート部３０は、第１の開口を袋体１０の一部領域が塞ぐように第１の端部３１に袋体１０の上記一部領域の周縁部が固定されている。スカート部３０は、第２の開口の周縁部に沿って第２の端部３２に環状の弾性部材３３が固定されている。そして、スカート部３０の内側に滑り止め手段４０又は１４を有する。【選択図】図２
0003183916.tif 000002
【実用新案登録請求の範囲】
【請求項１】
袋体と、
前記袋体の内側に収容されたクッション体と、
第１の開口が位置する第１の端部及び第２の開口が位置する第２の端部を有する筒状のスカート部と、
環状の弾性部材と、
を備え、
前記スカート部は、前記第１の開口を前記袋体の一部領域が塞ぐように前記第１の端部に前記一部領域の周縁部が固定されており、前記第２の開口の周縁部に沿って前記第２の端部に前記環状の弾性部材が固定されており、
前記スカート部の内側に滑り止め手段を有する、椅子カバー。
【請求項２】
前記滑り止め手段は、前記一部領域の周縁部に固定された複数の紐を含む、請求項１に記載の椅子カバー。
【請求項３】
前記滑り止め手段は、前記一部領域に塗布された樹脂を含む、請求項１又は請求項２に記載の椅子カバー。
【考案の詳細な説明】
【技術分野】
【０００１】
本考案は、椅子カバーに関する。
【背景技術】
【０００２】
椅子の座面にかぶせて用いられる椅子カバーであって、クッションを内蔵したものが、下記の特許文献１に記載されている。この特許文献１においては、クッション部を収容する袋体にスカート部が取り付けられ、スカート部の下縁端にゴム紐が取り付けられている。このスカート部を、椅子の座面にかぶせることにより、クッションを椅子の座面に保持するようになっている。
【先行技術文献】
【特許文献】
【０００３】
【特許文献１】実公昭４３−１７３７２号公報
【考案の概要】
【考案が解決しようとする課題】
【０００４】
しかしながら、特許文献１のような、スカート部で椅子の座面を覆うだけの構成では、使用中に椅子カバーが椅子の座面に対してずれてしまうという問題があった。椅子カバーが椅子の座面に対してずれると、椅子カバーに収容されたクッション体が、椅子の座面に対してずれてしまう。クッション体がずれると、椅子に座りにくくなり、あるいは、見栄えが悪くなってしまう。
【０００５】
本考案の幾つかの態様は、クッション体が収容された椅子カバーの、椅子に対する位置ずれを抑制することに関連している。
【課題を解決するための手段】
【０００６】
本考案の幾つかの態様において、椅子カバーは、
袋体と、
前記袋体の内側に収容されたクッション体と、
第１の開口が位置する第１の端部及び第２の開口が位置する第２の端部を有する筒状のスカート部と、
環状の弾性部材と、
を備え、
前記スカート部は、前記第１の開口を前記袋体の一部領域が塞ぐように前記第１の端部に前記一部領域の周縁部が固定されており、前記第２の開口の周縁部に沿って前記第２の端部に前記環状の弾性部材が固定されており、
前記スカート部の内側に滑り止め手段を有する。
【図面の簡単な説明】
【０００７】
【図１】本考案の実施形態に係る椅子カバーの下方斜視図である。
【図２】図１に示された椅子カバーのII−II線断面図である。
【図３】図１に示された椅子カバーのスカート部を取除いた状態を示す下方斜視図である。
【図４】図４（Ａ）は、図１に示された椅子カバーの上方斜視図である。図４（Ｂ）は、図４（Ａ）に示された椅子カバーが取り付けられる椅子の上方斜視図である。図４（Ｃ）は、図４（Ａ）に示された椅子カバーが図４（Ｂ）に示された椅子に取り付けられた状態を示す上方斜視図である。
【考案を実施するための形態】
【０００８】
以下、本考案の実施形態について詳細に説明する。なお、以下に説明する本実施形態は、実用新案登録請求の範囲に記載された本考案の内容を不当に限定するものではない。また本実施形態で説明される構成の全てが本考案の解決手段として必須であるとは限らない。また同一の構成要素には同一の参照符号を付して説明を省略する。
【０００９】
＜１．構成＞
図１は、本考案の実施形態に係る椅子カバーの下方斜視図である。図２は、図１に示された椅子カバーのII−II線断面図である。図３は、図１に示された椅子カバーのスカート部を取除いた状態を示す下方斜視図である。これらの図に示される椅子カバー１は、袋体１０と、袋体１０の内側に収容されたクッション体２０と、筒状のスカート部３０と、複数の紐４０と、を含んでいる。
【００１０】
袋体１０は布で構成されており、上面部１１と、底面部１２とを有している。上面部１１は、ドーム型の立体形状に縫製されている。上面部１１の周縁と底面部１２の周縁とが縫い合わされることにより、内部に収容空間を有する袋体１０が構成されている。この袋体１０の収容空間に、クッション体２０が収容されている。
【００１１】
クッション体２０は、モールドウレタン層２１と、スラブウレタン層２２とを含んでいる。モールドウレタン層２１は、スラブウレタン層２２の上に配置されており、モールドウレタン層２１は袋体１０の上面部１１に接して、スラブウレタン層２２は袋体１０の底面部１２に接している。
【００１２】
モールドウレタン層２１を構成するモールドウレタンとは、目的の形状に設計された金型内に材料を射出し、その金型内で発泡及び硬化させたポリウレタンフォームを意味する。スラブウレタン層２２を構成するスラブウレタンとは、材料を発泡及び硬化させた後、目的の形状に切り出したポリウレタンフォームを意味する。モールドウレタン層２１は、スラブウレタン層２２と比べて柔らかいことが望ましい。ここで、「柔らかい」とは、ＪＩＳ  Ｋ  ６４００−２のＡ法に準拠した硬さが小さいことを意味する。また、モールドウレタン層２１は、スラブウレタン層２２と比べて反発弾性率が小さいことが望ましい。「反発弾性率」とは、ＪＩＳ  Ｋ  ６４００−３に準拠した反発弾性率を意味する。
【００１３】
このようなモールドウレタン層２１とスラブウレタン層２２との組み合わせにより、底つき感が低減された快適なクッション性能を実現できる。
【００１４】
筒状のスカート部３０は布で構成されており、スカート部３０は、第１の開口が位置する第１の端部３１と、第２の開口が位置する第２の端部３２とを有している。スカート部３０は、上記第１の開口を袋体１０の底面部１２が塞ぐように、第１の端部３１に底面部１２の周縁部が縫い合わされて固定されている。また、スカート部３０は、上記第２の開口の周縁部に沿って、第２の端部３２に環状の弾性部材３３が固定されている。環状の弾性部材３３は軟質樹脂で構成されており、環を広げようとする方向に力が加えられると伸張することができ、この力が解除されると弾性力によって収縮する。
【００１５】
複数の紐４０はそれぞれ布で構成されており、例えば、第１の紐４１及び第２の紐４２を含んでいる。第１の紐４１及び第２の紐４２は、スカート部３０の内側に位置している。第１の紐４１の第１の端部４１ａは、袋体１０の底面部１２の一方の端部に縫い付けられており、第１の紐４１の第２の端部４１ｂには、一対の面ファスナーの一方（例えば複数のループ４１ｃ）が縫い付けられている。第２の紐４２の第１の端部４２ａは、袋体１０の底面部１２の他方の端部に縫い付けられており、第２の紐４２の第２の端部４２ｂには、一対の面ファスナーの他方（例えば複数のフック４２ｃ）が縫い付けられている。
【００１６】
図３に示されるように、袋体１０の底面部１２には、その周縁部に沿って半円状に線ファスナー１３が取り付けられている。線ファスナー１３は、スライダー１３ａを線ファスナー１３に沿って図３における左右方向に移動させることにより、開閉できるようになっている。線ファスナー１３を開けて、袋体１０に収容されたクッション体２０を取り出すことにより、椅子カバー１のクッション体２０以外の部分を洗濯することもできる。
【００１７】
また、袋体１０の底面部１２の下方の面には、滑り止めの樹脂１４が多数の島状に塗布されている。
【００１８】
＜２．作用＞
図４（Ａ）は、図１に示された椅子カバーの上方斜視図である。図４（Ｂ）は、図４（Ａ）に示された椅子カバーが取り付けられる椅子の上方斜視図である。図４（Ｃ）は、図４（Ａ）に示された椅子カバーが図４（Ｂ）に示された椅子に取り付けられた状態を示す上方斜視図である。
【００１９】
図４（Ａ）〜図４（Ｃ）に示されるように、椅子カバー１は、スカート部３０が椅子Ｃの座面Ｃ１を覆うように、椅子Ｃに取り付けられる。さらに、図２及び図３に示された第１の紐４１及び第２の紐４２を、座面Ｃ１の互いに反対側の位置から座面Ｃ１の下方まで導いて、第１の紐４１の第２の端部４１ｂと第２の紐４２の第２の端部４２ｂとを面ファスナーで貼り付けることができるようになっている。これにより、椅子カバー１が椅子Ｃの座面Ｃ１に対してずれることが抑制され、クッション体２０のずれが抑制される。なお、第１の紐４１の第２の端部４１ｂと第２の紐４２の第２の端部４２ｂとを結合させる手段は、面ファスナーに限定されるものではなく、他の種類のフックでもよいし、第１の紐４１と第２の紐４２とを結び合わせるだけでもよい。
【００２０】
また、本実施形態によれば、複数の紐４０が、スカート部３０の内側に位置しているので、複数の紐４０がスカート部３０の外側から目立つことがなく、見栄えの低下が抑制される。また、複数の紐４０の第１の端部４１ａ及び４２ｂが、袋体１０の底面部１２に固定されているので、複数の紐４０の形状がスカート部３０の表面の盛り上がりとして表れることが抑制され、見栄えの低下が抑制される。
【００２１】
また、袋体１０の底面部１２の下方の面には、滑り止めの樹脂１４が多数の島状に塗布されているので、袋体１０の底面部１２と椅子Ｃの座面Ｃ１との摩擦が大きくなる。これにより、椅子カバー１が椅子Ｃの座面Ｃ１に対してずれることが抑制され、クッション体２０のずれが抑制される。
【００２２】
また、本実施形態によれば、線ファスナー１３が袋体１０の底面部１２の周縁部に沿って取り付けられているので、線ファスナー１３が椅子Ｃの座面Ｃ１に強く押しつけられることが抑制され、代わりに滑り止めの樹脂１４が椅子Ｃの座面Ｃ１に強く押しつけられる。従って、袋体１０の底面部１２と椅子Ｃの座面Ｃ１との摩擦が一層大きくなる。
【００２３】
本実施形態においては、滑り止め手段として、複数の紐４０及び滑り止めの樹脂１４の両方を有する場合について説明したが、これに限らず、複数の紐４０及び滑り止めの樹脂１４のいずれかのみでもよい。
【符号の説明】
【００２４】
１…椅子カバー、１０…袋体、１１…上面部、１２…底面部、１３…線ファスナー、１３ａ…スライダー、１４…滑り止めの樹脂、２０…クッション体、２１…モールドウレタン層、２２…スラブウレタン層、３０…スカート部、３１…第１の端部、３２…第２の端部、３３…環状の弾性部材、４０…複数の紐、４１…第１の紐、４１ａ…第１の端部、４１ｂ…第２の端部、４１ｃ…ループ、４２…第２の紐、４２ａ…第１の端部、４２ｂ…第２の端部、４２ｃ…フック、Ｃ…椅子、Ｃ１…座面
【図１】
0003183916.tif 000003
【図２】
0003183916.tif 000004
【図３】
0003183916.tif 000005
【図４】
0003183916.tif 000006